(57)【要約】【課題】  排尿が排泄方向前方へ漏れ出すことを確実に防ぐことのできるペット用おむつを提供する。【解決手段】  裏面シートの第１方向一端部における第２方向両端部のそれぞれに、裏面シートと漏出防止シートとに挟まれた状態で接続される可撓性および伸縮性を有する帯状の一対の伸縮部材と、裏面シートの第１方向他端部に着脱可能に係止する係着部を備え、各伸縮部材に固着される係止手段と、を含むことを特徴とする。【選択図】    図１
2020080833.tif 000002
【特許請求の範囲】
【請求項１】
第１方向の寸法が、前記第１方向に垂直な第２方向の寸法よりも大きく、通気性および透液性を有する表面シートと、
周縁部が前記表面シートの周縁部に接合される、不透液性を有する裏面シートと、
前記表面シートと前記裏面シートとの間に配設される、吸液性を有する吸収体と、
前記第１方向に沿って延び、前記表面シートの前記第２方向両側部に接合された、不透液性を有する一対の漏出防止シートであって、前記表面シートに接合された接合部よりも前記第２方向に互いに近接する部分が起立可能な漏出防止シートと、
前記裏面シートの前記第１方向一端部における前記第２方向両端部のそれぞれに、前記裏面シートと前記漏出防止シートとに挟まれた状態で接続される可撓性および伸縮性を有する帯状の一対の伸縮部材と、
前記各伸縮部材に固着される係止手段であって、前記裏面シートの前記第１方向他端部に着脱可能に係止する係着部を備える係止手段と、を含むことを特徴とするペット用おむつ。
【請求項２】
前記伸縮部材の前記第１方向の寸法は、前記係着部の前記第１方向の寸法よりも大きいことを特徴とする請求項１に記載のペット用おむつ。
【請求項３】
前記吸収体は、前記表面シートと前記裏面シートとの前記第１方向一端部の端縁よりも、前記表面シートの前記第１方向他端部側および前記裏面シートの前記第１方向他端部側に退避して配設されており、
前記表面シートと前記裏面シートとの間であって、前記吸収体よりも前記第１方向一端部の端縁側に配設された可撓性および伸縮性を有する補強シートを含むことを特徴とする請求項１または２に記載のペット用おむつ。
【請求項４】
前記表面シートおよび前記裏面シートには、前記吸収体よりも前記第１方向他端部側に、ペットの尻尾を挿通するための尻尾通し用切欠きが形成されることを特徴とする請求項１〜３のいずれか１つに記載のペット用おむつ。
【発明の詳細な説明】
【技術分野】
【０００１】
本発明は、ペット用おむつに関する。
【背景技術】
【０００２】
近年、犬や猫などに代表される愛玩動物であるペットを屋内で飼育する人が増加している。ペットはその習性として排尿行為を単に生理現象として行うだけでなく、自らの縄張りを主張するためのマーキングとして行う場合もあるので、ペットを屋内で飼育する場合、部屋の壁面や家具などに排尿がなされ、屋内が汚損されるという問題がある。
【０００３】
このような屋内での排尿は、成犬になれば訓練によってその行為を所定の場所に行わせることができるが、生まれてから間もない子犬や一歳未満の幼犬、老犬の場合には難しいという問題がある。このような問題を解決するための従来技術として、たとえば特許文献１には、ペットの臀部を覆うように装着することができるペット用おむつに関する技術が開示されている。
【０００４】
特許文献１に記載のペット用おむつは、液透過性のトップシートと、液不透過性のバックシートと、両シート間に内包され、トップシートを透過した液体を吸収する吸収体とを有し、尻尾通し孔が形成されたおむつ本体と、おむつ本体に取り付けられた止着テープと、装着時に排泄器官の尿道口の向く方向（排泄方向前方）とほぼ平行となるようにおむつ本体に設けられた立体ギャザーとからなる。また、同様の技術は特許文献２にも開示されている。
【０００５】
このような従来技術のペット用おむつを装着したペットが、たとえば雄犬の場合、尿道口から勢いよく尿が排泄されると、ペット用おむつから排泄方向前方へ尿が漏れ出しやすい。特に、特許文献１および２に記載の従来技術では、装着時において尿道口の向く方向とほぼ平行に立体ギャザーが設けられているので、後足の付け根部分から両側への尿の漏れ出しは防ぐことができるものの、尿道口が向く前方への尿の漏れ出しをは確実に防ぐことができない。また、長時間の着用によって装着位置がずれた場合、あるいは体形または体型の違いによって体躯とペット用おむつとの間に隙間が生じている場合には、排泄方向前方への尿の漏れ出しが生じ易く、排泄方向前方への尿の漏れ出しを確実に防ぐことができないという問題がある。
【先行技術文献】
【特許文献】
【０００６】
【特許文献１】特開２００４−１５９５９１号公報
【特許文献２】実用新案登録第３０３１３２１号公報
【発明の概要】
【発明が解決しようとする課題】
【０００７】
本発明の目的は、排尿が排泄方向前方へ漏れ出すことを確実に防ぐことのできるペット用おむつを提供することである。
【課題を解決するための手段】
【０００８】
本発明は、第１方向の寸法が、前記第１方向に垂直な第２方向の寸法よりも大きく、通気性および透液性を有する表面シートと、
周縁部が前記表面シートの周縁部に接合される、不透液性を有する裏面シートと、
前記表面シートと前記裏面シートとの間に配設される、吸液性を有する吸収体と、
前記第１方向に沿って延び、前記表面シートの前記第２方向両側部に接合された、不透液性を有する一対の漏出防止シートであって、前記表面シートに接合された接合部よりも前記第２方向に互いに近接する部分が起立可能な漏出防止シートと、
前記裏面シートの前記第１方向一端部における前記第２方向両端部のそれぞれに、前記裏面シートと前記漏出防止シートとに挟まれた状態で接続される可撓性および伸縮性を有する帯状の一対の伸縮部材と、
前記裏面シートの前記第１方向他端部に着脱可能に係止する係着部を備え、前記各伸縮部材に固着される係止手段と、を含むことを特徴とするペット用おむつである。
【０００９】
また本発明は、前記接続部の前記第１方向の寸法は、前記係着部の前記第１方向の寸法よりも大きいことを特徴とする。
【００１０】
また本発明は、前記吸収体は、前記表面シートと前記裏面シートとの前記第１方向一端部の端縁よりも、前記表面シートの前記第１方向他端部側および前記裏面シートの前記第１方向他端部側に退避して配設されており、
前記表面シートと前記裏面シートとの間であって、前記吸収体よりも前記第１方向一端部の端縁側に配設された可撓性および伸縮性を有する補強シートを含むことを特徴とする。
【００１１】
また本発明は、前記表面シートおよび前記裏面シートには、前記吸収体よりも前記第１方向他端部側に、ペットの尻尾を挿通するための尻尾通し用切欠きが形成されることを特徴とする。
【発明の効果】
【００１２】
本発明によれば、おむつ本体の第１方向他端部に接合される係止手段は、可撓性および伸縮性を有する伸縮部材を介して、おむつ本体の第１方向一端部における第２方向両端部のそれぞれに接続されており、おむつ本体の第１方向他端部に係止された係止手段は、ペット用おむつを装着したペットの動きに応じて弾性的に伸縮可能であり、ペットが装着しているペット用おむつのずれ、隙間の発生を防止し、排泄方向前方への尿漏れを確実に防止することができる。
【００１３】
伸縮部材の第１方向の寸法は、係着部の第１方向の寸法よりも大きく形成されているので、ペット用おむつを装着したペットが激しく動いて発生した大きな力が、係止手段の係着部に作用した場合であっても、裏面シートに接続される伸縮部材の接続部に発生する応力は小さく、該接続部が破損することを防止することができる。
【００１４】
また、吸収体が、第１方向一端部の端縁よりも第１方向他端部側に退避して配置されるので、起立部によってせき止められた排尿を、吸収体が配設される領域に導き、確実に吸収体に吸収させることができる。
【００１５】
また本発明によれば、表面シートおよび裏面シートには、吸収体よりも第１方向他端部側に、尻尾を挿通するための尻尾通し用切欠きが形成されるので、切欠きに尻尾を通してペット用おむつを装着することができる。したがって、尻尾によってペット用おむつの位置が固定されるので、ペット用おむつが不所望にずれることを防ぐことができ、排尿を、吸収体に確実に吸収させることができる。
【図面の簡単な説明】
【００１６】
【図１】本発明の一実施形態であるペット用おむつ１を平面状に展開した正面図である。
【図２】ペット用おむつ１の背面図である。
【図３】図１における切断面線Ａ−Ａで切断したペット用おむつ１の断面を模式的に示す図である。
【図４】図１における切断面線Ｂ−Ｂで切断したペット用おむつ１の断面を模式的に示す図である。
【図５】図１における切断面線Ｃ−Ｃで切断したペット用おむつ１の断面を模式的に示す図である。
【図６】ペット用おむつ１の部品構成を示す分解斜視図である。
【図７】係止手段３の拡大図である。
【図８】ペット用おむつ１を着用している状態を示す図である。
【図９】打ち抜き加工した状態を模式的に示す平面図である。をペット用おむつ１の面状ファスナ３５の平面図である。
【発明を実施するための形態】
【００１７】
図１は、本発明の一実施形態であるペット用おむつ１を平面状に展開した正面図である。図２は、ペット用おむつ１の背面図である。図３は、図１における切断面線Ａ−Ａで切断したペット用おむつ１の断面を模式的に示す図である。図４は、図１における切断面線Ｂ−Ｂで切断したペット用おむつ１の断面を模式的に示す図である。図５は、図１における切断面線Ｃ−Ｃで切断したペット用おむつ１の断面を模式的に示す図である。図６は、ペット用おむつ１の部品構成を示す分解斜視図である。図７は、係止手段３の拡大図である。図８は、ペット用おむつ１を着用している状態を示す図である。図９は、打ち抜き加工した状態を模式的に示す平面図である。
【００１８】
ペット用おむつ１は、展開状態で正面視したとき（図１に示す状態）の形状が、Ｉ字形状であって、犬などに代表されるペットとも呼ばれる愛玩動物、特に雄犬を屋内で飼育する際に用いられ、その長手方向の各端部がペットの腹部と背部にそれぞれ位置するようにして、ペットの腹部、股部、臀部および背部を覆う状態で装着し、使用される。
【００１９】
ペット用おむつ１の展開状態における正面形状は、Ｉ字形状に限られず、長方形状であってもよく、またＩ字状や長方形状の長手方向の両端縁が外方に凸の円弧状に湾曲した形状であってもよい。
【００２０】
ペット用おむつ１は、第１方向（長手方向）Ｘの寸法が第１方向Ｘに垂直な第２方向（幅方向）Ｙの寸法よりも大きいおむつ本体２と、おむつ本体２の第１方向Ｘの各端部６，８同士を係止するための係止手段３とを含む。なお、第１方向Ｘおよび第２方向Ｙに垂直な方向を、第３方向（厚み方向）Ｚとする。
【００２１】
本実施形態において、おむつ本体２は、長手のＩ字状のシート体である。より詳細には、おむつ本体２は、第１方向Ｘ両端部６，８における第２方向Ｙの寸法よりも、第１方向Ｘ中央部における第２方向Ｙの寸法が小さく形成され、第１方向Ｘの寸法Ｌ１は、一例として述べると、４３ｃｍ、第１方向Ｘ両端部６，８における第２方向Ｙの寸法Ｌ２は、２９ｃｍ、第１方向Ｘ中央部における第２方向Ｙの寸法Ｌ３は、１７．８ｃｍである。おむつ本体２の第１方向Ｘ両端部６，８の各端縁７，１４は、幅方向と平行な一直線に形成される。
【００２２】
おむつ本体２の寸法Ｌ１〜Ｌ３は、上記数値に限られることはなく、ペット用おむつ１を装着するペット、すなわち小型犬か中型犬かの違い、小型犬／中型犬であっても犬種の違い、成犬、幼犬、老犬の違い、体形、肥満度による体躯の違いなどによるサイズに合わせて適宜変更されるが、その寸法比はほぼ一定であり、Ｌ１，Ｌ２，Ｌ３の寸法の比が、約１０：７：４となるように形成される。
【００２３】
おむつ本体２は、通気性および透液性を有する表面シート４と、表面シート４に重ねた状態で接合される、不透液性を有する裏面シート５と、表面シート４と裏面シート５との間、より詳細には、表面シート４の未接合部と裏面シート５の未接合部との間であって、第１方向Ｘ一端部６の端縁７よりも第１方向Ｘ他端部８側に退避して配置される、吸液性を有する吸収体９と、吸収体９の第２方向Ｙ両側部で、かつ第１方向Ｘに沿って延び、表面シート４に接合、より詳細には、表面シート４の後述する補強シート１５に臨む一表面４ａとは厚み方向（第３方向Ｚ）反対側の他表面４ｂに接合され、少なくとも吸収体９が配置される領域と対応する領域、換言すれば吸収体９に近接する領域が起立能な一対の漏出防止シート１０と、を含む。
【００２４】
また、表面シート４と裏面シート５との間には、吸収体９よりも第１方向Ｘ一端部６の端縁７側に、可撓性および伸縮性を有する補強シート１５が配設されており、表面シート４および裏面シート５の吸収体９よりも第１方向Ｘ他端部８側には、尻尾を挿通するための尻尾通し用切欠き１６が形成される。
【００２５】
表面シート４は、通気性および透液性を有するシートであればよく、たとえば合成繊維および再生繊維から成る繊維シートまたは繊維ウェッブの繊維同士を物理的に交絡させて形成される不織布などを用いることができる。本実施の形態では、不織布を用いて形成される。表面シート４は、通気性および透液性を有するシートであるので、表面シート４側から、排尿を吸収体９に導くことができる。
【００２６】
表面シート４は、吸収体９が設けられる領域では、第２方向Ｙ両端部における一表面４ａが裏面シート５の面５ａと接合され、第２方向Ｙ中央部における一表面４ａは、裏面シート５とは未接合であり、吸収体９と当接する。すなわち、吸収体９が設けられる領域では、一表面４ａは、吸収体９および裏面シート５に当接する。
【００２７】
また、吸収体９が設けられない領域、たとえば補強シート１５が設けられる領域では、表面シート４は、一表面４ａに補強シート１５が接合される。すなわち、補強シート１５が設けられる領域では、一表面４ａが補強シート１５とのみ接合される。
【００２８】
また、吸収体９および補強シート１５が設けられない領域では、一表面４ａは、裏面シート５の面５ａと接合される。また、表面シート４の他表面４ｂは、漏出防止シート１０と接合される。
【００２９】
なお、一表面４ａおよび他表面４ｂは、表面シート４の厚み方向（第３方向Ｚ）における両面であり、一表面４ａは、第３方向Ｚにおいて他表面４ｂの反対側の面である。また、面５ａおよび面５ｂは、裏面シート５の厚み方向（第３方向Ｚ）における両面であり、面５ａは、第３方向Ｚにおいて面５ｂの反対側の面である。
【００３０】
裏面シート５は、不透液性で可撓性を有するシートなどを用いて形成することができ、本実施の形態では、たとえばポリエチレン製のシートが用いられる。また裏面シート５には、不透液性および可撓性に加えて透湿性を有するシートを用いてもよい。このような透湿性をも有するシートを用いることによって、装着時においてペット用おむつ１とペットとの間の湿度の上昇を防ぐことができ、蒸れることによるペットの不快感を低減することができる。
【００３１】
本実施形態において、裏面シート５は、表面シート４よりも寸法が大きく形成され、表面シート４の第３方向Ｚに積層されて、表面シート４、補強シート１５、漏出防止シート１０および係止手段３と接合される。
【００３２】
より詳細には、裏面シート５は、補強シート１５が配設される領域では、補強シート１５および漏出防止シート１０に臨む面５ａが、第２方向Ｙ中央部で補強シート１５と接合され、第２方向Ｙ両端部で漏出防止シート１０の他表面１０ｂと接合される。後述する一表面１０ａと他表面１０ｂは、漏出防止シート１０の厚み方向（第３方向Ｚ）における両面であり、一表面１０ａは、第３方向Ｚにおいて他表面１０ｂの反対側の面である。
【００３３】
また、吸収体９が配設される領域では、面５ａに、第２方向Ｙ中央部で吸収体９が当接する。換言すれば、面５ａは、吸収体９が配設される領域の第２方向Ｙ中央部では、未接合である。また、面５ａは、吸収体９と当接する箇所よりも第２方向Ｙ両端部側で、表面シート４の一表面４ａと接合される。
【００３４】
また、吸収体９および補強シート１５が設けられない領域では、面５ａに、表面シート４の一表面４ａが接合している。
【００３５】
裏面シート５は、表面シート４、補強シート１５、および漏出防止シート１０と接合された状態において、裏面シート５の長手方向、幅方向および厚み方向が、表面シート４および漏出防止シート１０の長手方向、幅方向および厚み方向と一致する。
【００３６】
表面シート４、裏面シート５、補強シート１５および漏出防止シート１０の接合には、あらゆる公知の方法を用いることができるが、本実施形態では、工業用糊材であるたとえばホットメルト接着剤を用いて加圧・加熱することにより、両シート４，５は接合されている。前記工業用糊材としては、モレスコ社製のＴＮ−２６９（商品名）、ＴＮ−２５５（商品名）、ＴＮ−２８８（商品名）などを用いることができる。
【００３７】
吸収体９は、表面シート４と裏面シート５との間に配設され、矩形状で吸液性を有し、吸収した液体を保持する機能を有する。吸収体９は、第１方向Ｘ一端部６の端縁７よりも第１方向Ｘ他端部８側に退避した位置であって、第２方向Ｙの略中央部に配置される。
【００３８】
本実施の形態では、吸収体９は、端縁７よりも第１方向Ｘ他端部８側に退避した位置から、第１方向Ｘの中央を第１方向Ｘ他端部８側に少し越えた位置にわたって設けられる。より詳細には、端縁７から他端部８側に距離Ｌ４だけ退避した位置から、他端部８の端縁１４から一端部６側に距離Ｌ５だけ退避した位置にわたって設けられる。本実施形態において、距離Ｌ４は、たとえば２ｃｍであり、距離Ｌ５は、たとえば１８．２ｃｍである。
【００３９】
吸収体９の設けられる位置は、上記範囲に限らず、たとえば、端縁７よりも第１方向Ｘ他端部８側に退避した位置から、第１方向Ｘ他端部８の端縁１４にわたって配設されていてもよく、端縁７よりも第１方向Ｘ他端部８側に退避した位置から、第１方向Ｘの中央までに配設されていてもよい。
【００４０】
吸収体９のサイズや吸収能力などは、ペット用おむつ１が用いられるペットのサイズや種類によって適宜決定されるが、生理現象およびマーキングによるペットの複数回の排尿を十分に吸収し、保持することができるサイズおよび吸収能力であればよい。
【００４１】
吸収体９としては、公知のあらゆる吸水性材料を用いることができる。本実施形態では、吸収体９は、フラッフ状繊維、吸水性ポリマおよび消臭剤を含む。フラッフ状繊維は、たとえばパルプを１ｍｍ以上１０ｍｍ以下の長さに切断した親水性繊維を撹拌して綿状にした綿状パルプを用いることができる。吸収体９は、フラッフ状繊維で形成されるので、吸収体９は繊維間に多数の空隙を有する。したがって、液体を面方向および厚み方向に分散させて効率よく吸収することができる。
【００４２】
吸水性ポリマは、自重の約１０倍以上３００倍以下の水分を吸収してゲル状に凝固する高分子吸収体であり、吸水性ポリマとしては、たとえば抗菌性を有する吸水性ポリマや荷重下通液性を有する吸水性ポリマ等を用いることができる。前記抗菌性を有する吸水性ポリマの例としては、商品名サンフレッシュＳＴ−９００Ｅ（サンダイヤポリマー株式会社製）を挙げることができ、荷重下通液性を有する吸水性ポリマとしては、商品名サンウェットＩＭ−９３０（サンダイヤポリマー株式会社製）を挙げることができる。本実施形態では、吸水性ポリマとして、アクリル酸ナトリウム塩およびアクリル酸カリウム塩などの吸水性ポリマに、抗菌剤を電気的に重合させて付着させた抗菌性を有する高機能吸水性ポリマを用いている。このように吸水性ポリマが抗菌性をも有することで、吸収体９における菌の繁殖を抑えることができる。
【００４３】
また、本実施形態では、吸水性ポリマが、吸収体９内に均等に分散されているので、ペットの排尿が表面シート４上のいずれの部分から浸透した場合であっても、効率よく排尿を吸収し保持することができる。また、吸収体９内に消臭剤を含ませることで、アンモニア臭などの人にとって不快な臭いが外部に漏れ出すのを防ぐことができる。
【００４４】
本実施形態において吸収体９は、第１方向の寸法Ｌ６が２２．８ｃｍ、第２方向の寸法Ｌ７が９．５ｃｍ、第３方向の寸法Ｌ８が８．０ｍｍである。吸収体９の寸法Ｌ６〜Ｌ８は、上記数値に限られず、ペット用おむつ１が用いられるペットのサイズや種類によって適宜決定され、前述のように生理現象およびマーキングによるペットの複数回の排尿を十分に吸収し、保持することができる容量、すなわちサイズおよび吸収能力を有していればよい。本実施形態では、吸収体９は、約３００ｃｃを吸収し保持することができる。
【００４５】
漏出防止シート１０は、表面シート４の他表面４ｂおよび裏面シート５の面５ａ上に、第１方向Ｘに沿って延びて設けられる帯状のシート体である。漏出防止シート１０は、後述する基端部が含まれる、幅方向一端部において、他表面１０ｂが裏面シート５の面５ａと接合される。また、幅方向一端部と幅方向他端部との間において、他表面１０ｂが表面シート４の他表面４ｂと接合される。
【００４６】
漏出防止シート１０は、その幅方向一端部が表面シート４の他表面４ｂおよび裏面シート５の面５ａに接合される基端部として形成され、幅方向他端部が弾発的に伸縮可能な遊端部として形成される。漏出防止シート１０における長手方向は、ペット用おむつ１を一平面上に展開して載置した場合において、第１方向Ｘと一致し、幅方向は、ペット用おむつ１を水平面上に展開して載置した場合において、第２方向Ｙと一致する。漏出防止シート１０の遊端部は、内側に折り返され、その中に後述する索条３０が内封される。
【００４７】
漏出防止シート１０は、裏面シート５と同様に不透水性および可撓性を有するシートなどを用いて形成することができ、本実施の形態では、スパンボンド法およびメルトブロー法で製造したポリプロピレン製の複数の糸を、スパンボンド法で製造した不織布、メルトブロー法で製造した不織布、メルトブロー法で製造した不織布、スパンボンド法で製造した不織布の順で積層させ、防水加工を施した積層体によって形成されている。
【００４８】
漏出防止シート１０の遊端部には、弾発的に伸縮可能な索条３０が表面シート４および裏面シート５に対して第１方向Ｘに緊張、すなわち伸長された状態で内封して配設されており、遊端部は、弾発的に伸縮可能である。したがって、ペット用おむつ１の装着時には、索条３０の収縮力によって遊端部が基端部よりも収縮し、漏出防止シート１０が表面シート４から立体的に立ち上げられる。漏出防止シート１０は、いわゆる立体ギャザーとして機能する。
【００４９】
このように、漏出防止シート１０が立体的に立ち上がることによって、たとえばペット用おむつ１が、ペットに装着された場合には、第２方向Ｙの前方、すなわち頭部側に尿が放出されても、漏出防止シート１０によってせき止められ、漏出防止シート１０によって吸収体９が配設されている内側に導かれることになるので、排尿が第２方向Ｙから漏れ出すのを防ぐとともに、排尿を吸収体９に確実に吸収させることができる。
【００５０】
索条３０は、弾発的に伸縮可能なものであれば、公知のあらゆる素材を用いることができ、本実施形態では細いごむ紐が用いられる。
【００５１】
補強シート１５は、吸収体９よりも第１方向Ｘ一端部６の端縁７側、より詳細には、第１方向Ｘにおいて、端縁７から吸収体９が配設される領域の手前までであって、端縁１７から第２方向Ｙに、所定の距離Ｌ１１だけ離間した位置と、もう一方の端縁１８から所定の距離Ｌ１１だけ離間した位置とにわたって設けられる。距離Ｌ１１は、ペット用おむつ１が用いられるペットのサイズや種類などによって適宜決定され、１．２５ｃｍ〜６．５ｃｍの範囲であればよく、小型犬を想定した本実施形態では、たとえば５．２５ｃｍである。
【００５２】
補強シート１５のサイズは、ペット用おむつ１が用いられるペットのサイズや種類などによって適宜決定されるが、たとえば長辺が１８．５ｃｍ〜２４．０ｃｍ、短辺が１．２ｃｍ〜２．０ｃｍの長方形状の素材が用いられる。本実施形態では、長辺が１８．５ｃｍ、短辺が２．０ｃｍの長方形状の伸縮ウレタンのシート材が用いられる。本実施形態では、補強シート１５の長手方向（長辺方向）は、第２方向Ｙと一致し、幅方向（すなわち、短辺方向）は、第１方向Ｘと一致し、厚み方向は、第３方向Ｚと一致する。
【００５３】
このように、補強シート１５が設けられるので、第１方向Ｘ一端部６が立ち上がってギャザーを有する起立部を形成することができる。また、ペットの動きに追従して、起立部を排泄器の排泄方向前方に維持することができる。したがって、排尿が吸収体９が配設される領域に導かれ、確実に吸収することができる。
【００５４】
補強シート１５は、本実施形態では、ペット用おむつ１の第１方向Ｘ一端部６側および第１方向Ｘ他端部８側に設けられるが、第１方向Ｘ一端部６側のみ、または第１方向Ｘ他端部８側のみに設けられてもよい。
【００５５】
また、伸縮ウレタンのシート材に代えて、漏出防止シート１０と同様に、細いごむ紐のような弾発的に伸縮可能な索条を内封しても、同様に立体ギャザーを形成することができる。
【００５６】
尻尾通し用切欠き１６は、装着時にペットの尻尾をペット用おむつ１から外部に出すための孔を形成するための切欠きであり、表面シート４および裏面シート５の吸収体９よりも第１方向Ｘ他端部８側であって、第２方向Ｙの略中央に設けられる。本実施形態では、尻尾通し用切欠き１６は、第１方向Ｘ他側部８側に凸のＵ字形状に切欠かれている。
【００５７】
このように尻尾通し用切欠き１６が形成されるので、尻尾通し用切欠き１６によって切り離された部分を外側へ折曲げることによって形成された小孔に、ペットの尻尾を通してペット用おむつ１を装着することができる。したがって、尻尾によってペット用おむつ１の位置が体躯に対して位置決めされるので、ペット用おむつ１が不所望にずれることを防いで、フィットさせた装着状態を維持することができ、これによって、排尿の漏れを防止し、吸収体９に確実に吸収させることができる。
【００５８】
尻尾通し用切欠き１６の形状は、尻尾を通すことができれば、半円状や一本の直線、複数本の直線が一点でクロスしたもの等のいずれでもよいが、尻尾の断面形状に沿ったＵ字形状や半円状が好ましい。尻尾通し用切欠き１６の寸法は、ペット用おむつ１が用いられるペットのサイズや種類などによって適宜決定されるが、その開口面積が装着状態でペット用おむつ１のずれが生じにくく、尻尾を容易に挿入できる程度、たとえば３ｃｍ２〜１５ｃｍ２程度の小孔が形成されるような構成であればよい。また、尻尾通し用切欠き１６を設ける代わりに、予め開口した抜き孔を形成してもよい。
【００５９】
第１方向Ｘ一端部６における第２方向Ｙ両端部１１，１２には、可撓性および伸縮性を有する伸縮部材２３が、それぞれ設けられている。伸縮部材２３は、裏面シート５の面５ａと、漏出防止シート１０の一表面１０ａとは反対側の他表面１０ｂとの間に挟まれた状態で、おむつ本体２にそれぞれ接続される接続部２３ａを備えている。
【００６０】
伸縮部材２３は、帯状に形成されており伸縮可能である。おむつ本体２の第１方向Ｘ他端部８は、ペットの動きに追従して、おむつ本体２の第１方向Ｘ一端部６に対して上下方向に弾発的に変位することができる。これによって、ペットが装着しているペット用おむつ１がずれることを防止することができる。
【００６１】
たとえば、犬は、種類によって個体の大きさが大きく異なるが、面状ファスナ３ａが固着される伸縮部材２３は、個体の大きさに応じて伸縮可能であり、ペット用おむつ１は、個体の大きさが異なる多種類の犬に装着できる。これによって、犬の種類および体形などに応じたサイズ違いのペット用おむつ１のバリエーションを少なくすることができる。おむつ本体２の第１方向Ｘ他端部８が、おむつ本体２の第１方向Ｘ一端部６に対して弾発的に変位した状態で装着することができるので、たとえばゴールデンレトリバーなどの老犬であっても、老犬の体型または体形にフィットした状態でペット用おむつ１を装着することができる。
【００６２】
第１方向Ｘ一端部６において、第２方向Ｙ端部１１に設けられた面状ファスナ３ａは、第１方向Ｘ他端部８の第２方向Ｙ端部１１側に係止される場合に限定されるものではない。また、第１方向Ｘ一端部６において第２方向Ｙ端部１２に設けられた面状ファスナ３ａは、第１方向Ｘ他端部８の第２方向Ｙ端部１２側に係止される場合に限定されるものではない。第１方向Ｘ一端部６において第２方向Ｙ端部１１に設けられた面状ファスナ３ａを、第１方向Ｘ他端部８の第２方向Ｙ端部１２側に係止し、第１方向Ｘ一端部６の第２方向Ｙ端部１２に設けられた面状ファスナ３ａを、第１方向Ｘ他端部８の第２方向Ｙ端部１１側に係止するようにしてもよい。このように、面状ファスナ３ａをクロスさせた状態で第１方向Ｘ他端部８に係止することによって、さらに小形のペットであっても、ペット用おむつ１を弛みを生じさせずにフィットした状態でペットに装着することができる。
【００６３】
伸縮部材２３の接続部２３ａの第１方向Ｘの寸法ｂ１は、接合部である面状ファスナ３ａの第１方向Ｘの寸法ｂ２よりも大きく形成されているので、ペット用おむつ１を装着したペットが、たとえば激しく動いた場合に、第１方向Ｘ他端部８に係止されている面状ファスナ３ａに、おむつ本体２から大きな力が加わった場合でも、伸縮部材２３の接続部２３ａに分散して力が伝わり、したがって接続部２３に発生する応力は小さく、これによって、おむつ本体２が接続部２３ａが破損することが防止される。
【００６４】
第１方向Ｘ他端部８には、面状ファスナ３ａが係止される面状ファスナ３５が設けられている。面状ファスナ３５は、第２方向Ｙに細長な長方形である。面状ファスナ３５は、たとえば、面状ファスナ３５の第２方向Ｙ両側部を黄色に着色し、両側部に挟まれた中央部を赤色に着色して、面状ファスナ３ａが係止される位置を色分けすることができる。これによって、大型犬の場合には、面状ファスナ３ａを面状ファスナ３５の黄色の部分に係止し、中型犬、小型犬の場合には、面状ファスナ３ａを面状ファスナ３５の赤色の部分に係止して、容易にペット用おむつ１をペットにフィットさせることができる。
【００６５】
係止手段３は、裏面シート５の面５ｂと接合可能であればよく、たとえば、他の実施形態では両面に粘着性を有する粘着テープによって実現されてもよい。また、係止手段３の形状は、長方形状に限らず、たとえば、正方形状や他の多角形状、円形状であってもよい。
【００６６】
本実施形態では、おむつ本体２の第２方向Ｙ両端部に、索条３１が第１方向Ｘに沿って、かつ第１方向Ｘに緊張、すなわち伸長された状態で配置される。より詳細には、裏面シート５と漏出防止シート１０との間であって、吸収体９および表面シート４よりも第２方向Ｙ両端部側の位置に内封して配設される。このように索条３１が内封されることによって、第２方向Ｙ両端部は、弾発的に伸縮可能である。索条３１は、弾発的に伸縮可能なものであれば、公知のあらゆる素材を用いることができ、本実施形態では細いごむ紐が用いられる。また、索条３１の数は、弾発的に伸縮可能であれば、限られることはないが、本実施形態では、各端部に２本ずつ設けられる。このような索条３１が設けられることによって、ペット用おむつ１の装着時には、索条３１の収縮力によって第２方向Ｙ両端部が立体的に立ち上げられる。
【００６７】
下記の表１は、ペット用おむつ１と従来のペット用おむつ（接合手段を有さないので、一端部を折り返して、接合することができず、排尿の排泄方向前方に起立部を形成できないタイプのおむつ）との、排泄方向前方からの尿が漏れない確率について、おむつのサイズ毎にまとめた表である。表１において、「○」印は漏れ出さなかった場合を示し、「×」印は漏れ出した場合を示す。
【００６８】
尿が漏れない確率は、成犬の１回の平均的な尿量の生理食塩水（濃度９％）を角度１５度の滑り台からペット用おむつ１の一端部に向かって流しこむ実験によって確認した。実験は各サイズ１０回行い、１０回中で尿が漏れ出さなかった回数に基づいて算出した。なお、生理食塩水を流し込む距離は２０ｃｍとした。
【００６９】
また、成犬の１回の平均的な尿量は、正常な成犬が２４時間で、体重１ポンドあたり約１２〜２０ｍｌの尿を産生することから（学窓社、犬・猫の尿検査ハンドブック  ３５頁）、各おむつのサイズ毎に、装着対象の犬の体重に基づいて１日の尿量を算出し、当該算出された１日あたりの尿量の中央値（表２における、犬の１日の尿量の欄内で、括弧内の値）を１日の平均排尿回数である５で除して求めた。なお、一般的な成犬の１日の排尿回数は、環境によって多少変動するが、３〜１０回の間である。このことから、本実験では、平均排尿回数を５回と設定した。
【００７０】
なお、おむつのサイズ毎の装着対象となる犬の体重の目安、当該体重から算出される１日あたりの尿量、１回の平均的な尿量は、下記の表２に示すとおりである。
【００７１】
また、生理食塩水を流し込む位置は、ペット用おむつのサイズ毎に、装着対象の犬種の後足の付け根から尿道口（陰部の先端）までの距離を測定して、その寸法の平均を算出し、ペット用おむつにおいてペットの後足に対応する箇所から、前記平均寸法離間した位置に決定した。
【００７２】
なお、ペットの後足は、Ｉ字の第２方向Ｙの寸法が大きくなり始める箇所のうち、第１方向Ｘにおいて一端部６側の、前記箇所にくるように装着される。表３は、ペット用おむつのサイズ毎に、装着対象の犬の種類、年齢、体重、ウエストの長さ、装着するサイズ、後足の付け根から尿道口（陰部の先端）までの距離、およびその距離の平均を表した表である。
【００７３】
【表１】
2020080833.tif 000003
【００７４】
【表２】
2020080833.tif 000004
【００７５】
【表３】
2020080833.tif 000005
【００７６】
表１に示すように、従来のペット用おむつでは、いずれのサイズであっても、排尿が漏れ出しており、漏れない確率は２０〜５０％である。すなわち、５０〜８０％の確率で尿が漏れ出している。これに対して、ペット用おむつ１では、いずれのサイズであっても、排尿が漏れない確率は１００％、すなわち尿が漏れ出すことはないことがわかる。このように、ペット用おむつ１の構成を採用することによって、排泄器官の尿道口が覆われるので、尿道口から排尿を行った場合には、排尿がせき止められ、尿道口の向く方向から排尿が漏れ出すのを防げることがわかる。
【００７７】
ペット用おむつ１は、表面シート４と裏面シート５の間に吸収体９を配設して、両シート４，５を貼着する工程と、表面シート４および裏面シート５に漏出防止シート１０を貼着する工程と、裏面シート５に伸縮部材２３および係止手段３を設ける工程と、表面シート４、吸収体９、裏面シート５、漏出防止シート１０の各素材が積層される、第１方向Ｘに長手の積層体を製造する工程と、当該積層体を打抜き加工して、ペット用おむつ１を型抜きする工程と、型抜きされた積層体を個々のペット用おむつ１に切断する工程とを経て製造される。
【００７８】
図９において、矢符は製造ラインが流れる方向を示し、２点鎖線は、連続する積層体を個々のペット用おむつ１に切断するための切断線を示す。
【００７９】
本実施形態における、シート体の型を抜く工程では、一方向の寸法が一方向に垂直な他方向よりも長く、一方向中央部は、他方向の寸法が等しい、長方形状であって、当該長方形の一方向の両端縁から一方向（長方形と離れる方向）に進むにつれて、他方向の寸法が大きくなる形状であり、一方向の両端縁は、他方向と平行な一直線となる形状、すなわちＩ字形状に外周部に切刀を有するカッタローラまたはプレス金型などによって貼着と同時に型抜きが行われる。
【００８０】
なお、一方向は、積層体が製造ラインを流れる方向（図４中の矢符で示す方向）および第１方向Ｘと一致し、他方向は、第２方向Ｙと一致する。
【００８１】
また、表面シート４と裏面シート５とを貼着する方法、表面シート４および裏面シート５に漏出防止シート１０を貼着する方法、裏面シート５に伸縮部材２３および係止手段３を設ける方法、表面シート４、吸収体９、裏面シート５、漏出防止シート１０、伸縮部材２３および係止手段３の各素材が積層される、第１方向Ｘに長手の積層体を製造する方法、当該積層体を打抜き加工して、ペット用おむつ１を型抜きする方法、型抜きされた積層体を個々のペット用おむつ１に切断する方法の各方法には、前述のカッタローラおよびプレス金型以外に公知のあらゆる方法を用いることができる。
【００８２】
このように、表面シート４、吸収体９、裏面シート５、漏出防止シート１０伸縮部材２３および係止手段３の各素材が積層された積層体を型抜きするので、容易に所望の形状のペット用おむつ１を製造することができる。
【符号の説明】
【００８３】
１  ペット用おむつ
２  おむつ本体
３  係止手段
３ａ，３５  面状ファスナ
４  表面シート
５  裏面シート
９  吸収体
１０  漏出防止シート
１５  補強シート
１６  尻尾通し用切欠き
２３  伸縮部材
２３ａ  接続部
【図１】
2020080833.tif 000006
【図２】
2020080833.tif 000007
【図３】
2020080833.tif 000008
【図４】
2020080833.tif 000009
【図５】
2020080833.tif 000010
【図６】
2020080833.tif 000011
【図７】
2020080833.tif 000012
【図８】
2020080833.tif 000013
【図９】
2020080833.tif 000014